(57)【要約】【課題】電磁誘導加熱手段からの発振ノイズの影響を避け、ノイズ対策部品の適正な機能を確保する。【解決手段】電磁誘導加熱が可能な内鍋と、この内鍋を取り出し可能に収容する内ケースと、この内ケースを収容固定する外ケースと、上記内ケースの底部に設けられ、上記内鍋を電磁誘導加熱する電磁誘導加熱手段と、上記外ケースと内ケースとの間にあって上下方向に延びて設けられた制御基板と、該制御基板上の制御回路に関連して設けられるノイズ対策部品とを備えてなる電気炊飯器であって、上記ノイズ対策部品を、上記制御基板を介して上記電磁誘導加熱手段とは反対側の上記電磁誘導加熱手段から可及的に遠くなる位置に設けた。【選択図】        図１
2010207371.tif 000002
【特許請求の範囲】
【請求項１】
電磁誘導加熱が可能な内鍋と、この内鍋を取り出し可能に収容する内ケースと、この内ケースを収容固定する外ケースと、上記内ケースの底部に設けられ、上記内鍋を電磁誘導加熱する電磁誘導加熱手段と、上記外ケースと内ケースとの間にあって上下方向に延びて設けられた制御基板と、該制御基板上の制御回路に関連して設けられるノイズ対策部品とを備えてなる電気炊飯器であって、上記ノイズ対策部品を、上記制御基板を介して上記電磁誘導加熱手段とは反対側の上記電磁誘導加熱手段から可及的に遠くなる位置に設けたことを特徴とする電気炊飯器。
【請求項２】
外ケースの内側には操作パネルに対応した操作基板を保持する操作基板カバーを備え、該操作基板カバーの下端側に設けたノイズ対策部品設置部を利用してノイズ対策部品を設置するようにしたことを特徴とする請求項１記載の電気炊飯器。
【請求項３】
外ケースの内側には電装品を冷却する冷却ファンが設けられ、ノイズ対策部品は、該冷却ファンからの冷却風によって冷却される位置に設けられていることを特徴とする請求項１又は２記載の電気炊飯器。
【発明の詳細な説明】
【技術分野】
【０００１】
本願発明は、電磁誘導加熱手段を備えた電気炊飯器のノイズ対策構造に関するものである。
【背景技術】
【０００２】
最近の電気炊飯器では、高出力で加熱効率が高く、出力制御の応答性も高いために、早く、かつ美味しい御飯を炊き上げることができることから、内鍋（飯器）自体を金属材料で形成するとともに、その炊飯加熱手段として、電磁誘導によって当該内鍋内に渦電流を誘起させて自己発熱させるワークコイル等の電磁誘導加熱手段を採用した電磁誘導加熱式のものが多くなっている（例えば特許文献１を参照）。
【０００３】
また、このような電磁誘導式の加熱手段を採用した電気炊飯器において、御飯の炊き上がりをより良好ならしめるために、上記従来の金属材料よりなる内鍋に替えて、さらにセラミック等の非金属材料よりなる内鍋（いわゆる土鍋）なども使用されるようになっている（例えば特許文献２を参照）。
【０００４】
後者の場合、内鍋自体が電磁誘導によって発熱しないために、例えば内鍋の外周面に電磁誘導効率の高い金属製の誘導発熱体を配設する一方、この誘導発熱体を上記ワークコイル等の電磁誘導加熱手段によって誘導加熱することにより、内鍋を加熱する加熱構造が採用されている（例えば特許文献３を参照）。
【０００５】
そして、これらの電気炊飯器の場合、その何れにあっても、各種のノイズが発生する。中でもワークコイル等の電磁誘導加熱手段は、高周波電圧によって駆動され、一種の高周波発振コイルとして作用することから、その発振に伴う雑音ノイズが問題とされる。例えば同ノイズが大きいと、制御ユニットのマイコンに影響を与え、誤作動の原因になったり、炊飯器周辺の外部機器（例えばテレビジョンやパソコンなど）にも悪影響を与える。
【０００６】
このような事情から、一般に上記のような電気炊飯器の制御回路には、ノイズ対策部品としての比較的容量の大きな雑音防止用のコンデンサが設けられており、それによって雑音ノイズの吸収を図るようにしている（例えば特許文献４を参照）。
【先行技術文献】
【特許文献】
【０００７】
【特許文献１】特開２００４−２０１８０４号公報
【特許文献２】実用新案登録第３１１００３８号公報
【特許文献３】特願２００６−１１３２８５号公報
【特許文献４】［家電修理技術資格シリーズ］新・製品別サービス技術  日本放送出版協会  平成５年１０月２５日発行  第８９頁［図５−４］の電気回路
【発明の概要】
【発明が解決しようとする課題】
【０００８】
しかし、上記従来の電気炊飯器では、上記ノイズ対策部品（コンデンサ等）が、上記電磁誘導加熱手段を駆動制御する制御回路を備えた制御基板上に直付け状態で設けられており、同制御基板は、配線の関係から一般に内ケース底部のワークコイル等電磁誘導加熱手段に可及的に近い位置に立設して設けられるようになっている。
【０００９】
そのため、同ワークコイル等電磁誘導加熱手段からの強い発振ノイズ（電磁ノイズ）がダイレクトに影響して、必ずしも有効な雑音防止作用を果たさなくなってしまう問題が見出されている。
【００１０】
殊に最近の国際規格ＣＩＳＰＲ１４での測定周波数は、１５０ｋＨｚ〜３０ｋＨｚの低周波領域でのノイズ低減機能が要求されており、これに対応しようとすると、現在の我が国での電気用品安全法での測定周波数５２６．５ｋＨｚ〜３０ｋＨｚに比して、より高いレベルでのノイズ低減性能が必要となる。
【００１１】
本願発明は、このような問題を解決するためになされたもので、上記雑音防止用コンデンサなどのノイズ対策部品を、上記制御基板を介して上記電磁誘導加熱手段とは反対側の上記電磁誘導加熱手段から可及的に遠くなる位置に設けることにより、電磁誘導加熱手段の発振ノイズの影響を受けないようにした電気炊飯器を提供することを目的とするものである。
【課題を解決するための手段】
【００１２】
本願発明は、同目的を達成するたに、次のような課題解決手段を備えて構成されている。
【００１３】
（１）  請求項１の発明の課題解決手段
この発明の課題解決手段は、電磁誘導加熱が可能な内鍋と、この内鍋を取り出し可能に収容する内ケースと、この内ケースを収容固定する外ケースと、上記内ケースの底部に設けられ、上記内鍋を電磁誘導加熱する電磁誘導加熱手段と、上記外ケースと内ケースとの間にあって上下方向に延びて設けられた制御基板と、該制御基板上の制御回路に関連して設けられるノイズ対策部品とを備えてなる電気炊飯器であって、上記ノイズ対策部品を、上記制御基板を介して上記電磁誘導加熱手段とは反対側の上記電磁誘導加熱手段から可及的に遠くなる位置に設けたことを特徴としている。
【００１４】
このような構成によると、雑音防止コンデンサ等のノイズ対策部品が電磁誘導加熱手段から可及的に遠くなるとともに、電磁誘導加熱手段からノイズ対策部品までの電磁ノイズの伝播空間が銅箔等全体にプリントパターンを有する電磁シールド機能の高い制御基板によって確実に遮断され、電磁的にシールドされるので、効果的にノイズ対策部品に対する電磁誘導加熱手段からの電磁ノイズの影響を避けることができる。
【００１５】
また、そのような構成の場合、同ノイズ対策部品が制御基板上の発熱性電子部品や誘導性電子部品等から隔離され、それらの熱や誘導作用、浮遊電荷の影響を受けなくなる。
【００１６】
そのため、コンデンサ等のノイズ対策部品は有効にノイズ吸収作用を発揮することができる。
【００１７】
（２）  請求項２の発明の課題解決手段
この発明の課題解決手段は、上記請求項１の発明の課題解決手段の構成において、外ケースの内側には操作パネルに対応した操作基板を保持する操作基板カバーを備え、該操作基板カバーの下端側に設けたノイズ対策部品設置部を利用してノイズ対策部品を設置するようにしたことを特徴としている。
【００１８】
どのような電気炊飯器であっても、一般に操作基板の下部には比較的広いデッドスペースがある。そして、同デッドスペースは、放熱空間としても有効である。
【００１９】
したがって、同放熱効果の高い空間部分を利用し、しかも操作基板を保持している操作基板カバーを利用してノイズ対策部品の設置部を設けて、上述のノイズ対策部品を設置するようにすると、炊飯器本体内スペースファクターの有効活用と設置作業の容易さ（操作基板カバーに操作基板を取り付ける時に同時に設置できる）、性能の信頼性（基板上にある場合と違って周辺電子部品の浮遊電荷や電磁波の影響を回避することができる）、放熱作用の両立が図られる。
【００２０】
（３）  請求項３の発明の課題解決手段
この発明の課題解決手段は、上記請求項１又は２の発明の課題解決手段の構成において、外ケースの内側には電装品を冷却する冷却ファンが設けられ、ノイズ対策部品は、該冷却ファンからの冷却風によって冷却される位置に設けられていることを特徴としている。
【００２１】
このような構成によると、上記デッドスペースを利用した放熱作用に加えて、ノイズ対策部品が、冷却ファンからの冷却風によって効率良く冷却されることになり、コンデンサ等ノイズ対策部品の温度上昇を回避し、より適正なノイズ吸収作用を確保することができる。
【発明の効果】
【００２２】
以上の結果、本願発明によれば、コンデンサ等ノイズ対策部品へのワークコイル等電磁誘導加熱手段からの電磁ノイズの影響を回避し、より確実なノイズ対策機能を発揮させることができる。したがって、マイコン等電気炊飯器の制御機能の信頼性を確保することができ、適正な炊飯性能を維持させることができる。もちろん、国際規格への対応も可能となる。
【図面の簡単な説明】
【００２３】
【図１】本願発明の実施の形態１に係る電気炊飯器の炊飯器本体の構成を示す前後方向中央部での切断断面図である。
【図２】同電気炊飯器炊飯器本体の底部側から見た水平断面図である。
【図３】同電気炊飯器の制御基板、操作基板等電気回路基板相互の接続関係を示す平面的な展開図である。
【図４】本願発明の実施の形態２に係る電気炊飯器の炊飯器本体の構成を示す前後方向中央部での切断断面図である。
【発明を実施するための形態】
【００２４】
（実施の形態１）
先ず図１〜図３は、本願発明の実施の形態１に係る電気炊飯器の構成と作用をそれぞれ示している。
【００２５】
（基本構成）
先ず本願発明の実施の形態１における電気炊飯器は、例えば内鍋（飯器）３として電磁誘導の可能な磁性金属板よりなるものが採用されている一方、当該内鍋３に対する炊飯時の加熱手段として、外ケース１内に所定の間隔を保って設けられた合成樹脂製の内ケース４を介して、当該内鍋３の底壁部３ａから側壁部３ｂの略全体を包み込むように当該内鍋３の底壁部３ａの中央部側と側方部側に対応する第１，第２の２組のワークコイルＣ1，Ｃ2が設けられ、また当該内鍋３に対する保温時等の加熱手段として、当該内鍋３の側壁部３ｂの全周に対応する保温ヒータＨ1、開口縁部３ｃの全周に対応する肩ヒータＨ2が設けられている。そして、それらを図３に示すマイコン制御ユニット４０によって適切に駆動制御することによって、適切な炊飯／調理機能と保温機能とを実現できるようになっている。
【００２６】
外ケース１は、筒状の金属製の側壁部１ａと該側壁部１ａの下部側に嵌合一体化された皿状の合成樹脂製の底壁部１ｂとからなり、その上端側を合成樹脂製の肩部材を介して上記内ケース３の上端側に連結されることによって相互に一体化され、それによって上部側が開口された炊飯器本体を形成している。
【００２７】
そして、該炊飯器本体の上記上部側の開口部には、肩部後端側に設けられたヒンジ部１１を介して、前後方向に開閉する蓋ユニット２が設けられている。
【００２８】
該蓋ユニット２は、その外周面を構成するとともに中央部の調圧口３１部分に調圧部材３０を備えた合成樹脂製の外カバー１２と、該外カバー１２の内側に嵌合一体化して設けられた合成樹脂製の内カバー１３と、該内カバー１３の外周にポリカバー１４を介して嵌合された金属製の内蓋１９とを備えて構成されている。
【００２９】
そして、その開放端（前端）側には、該蓋ユニット２の所定位置に係合して該蓋ユニット２の前後方向への開閉を規制する操作レバー１８が設けられている。
【００３０】
一方、該炊飯器の上記炊飯／調理／保温の各機能に対するタイマー予約や炊飯および保温メニュー、加熱調理メニューの選択、それら各メニューに対応した加熱量、加熱パターン、保温温度、保温時間などの選択設定操作は、当該炊飯器本体の前面側操作パネル部２０に設けられた各種入力スイッチ群（操作キー群）２２ａ〜２２ｈ（図３参照）を介してユーザーにより行われ、その選択設定内容に応じて最終的に上記第１，第２のワークコイルＣ1，Ｃ2および保温ヒータＨ1、肩ヒータＨ2が適切に制御されるようになっている。
【００３１】
また、上記操作パネル部２０の中央部には、炊飯、調理（例えばパン発酵／焼きなど）、保温の各メニュー、設定された保温温度、設定保温時間、保温経過時間、現在時刻、タイマー炊飯予約時刻、炊飯完了，調理完了までの残時間、その他の各種必要事項を表示する液晶表示部２１が設けられている。
【００３２】
また、上記外ケース１の上記操作パネル部２０の内側部分（裏側空間部分）には、後述する内ケース４側制御基板９ａの上端部側上方位置から斜め前方に下降する格好で、操作基板（マイコン基板）７ａを保持した操作基板カバー７が操作パネル２０に平行な形で傾斜状態に設置されている。
【００３３】
一方、上記内ケース４の底壁部４ａの下方側には、フェライトコア収納部１５を備えたコイルカバー（コイル台）１６が設けられ、それらの間に、各々リッツ線が同心状に巻成された第１，第２の２組のワークコイルＣ1，Ｃ2が設けられており、それら各ワークコイルＣ1，Ｃ2への通電時に上記内鍋３にうず電流を誘起して加熱するようになっている。
【００３４】
上記内ケース４（およびコイルカバー１６）の前方部側には、上記第１，第２のワークコイルＣ1，Ｃ2、保温ヒータＨ1、肩ヒータＨ2等を駆動制御するＩＧＢＴやヒータ駆動回路、電源電圧整流用のダイオードブリッジよりなる整流回路、平滑回路などを備えた制御基板９ａおよび該制御基板９ａを保持した制御基板カバー９が、内ケース４と略同等の高さ幅で、かつ外ケース１の左右両側壁部１ａ，１ａ間に達する横幅で、上下垂直方向に立設されている。
【００３５】
上記内ケース４の皿状の底壁部４ａは、その底面部の中央部にサーミスタを内装したセンターセンサーＳの嵌合口が形成されている。
【００３６】
また、同炊飯器本体底壁部１ｂの前部側には格子構造の冷却風の導入口２１が形成されており、該冷却風の導入口２１の上部側には、電装品等冷却用のファン（短軸のプロペラファン）２２が設けられており、該電装品等冷却用のファン２２からの冷却風を炊飯器本体内の必要な部分に導入するようになっている。
【００３７】
この電装品等冷却用のファン２２は、図示のように、その羽根車部の直径の略１／２弱を、上記制御基板カバー９よりワークコイルＣ1，Ｃ2側の空間に対応させて設置されている一方、その他の１／２強の直径部分は、ＩＧＢＴ等発熱部品放熱冷却用のヒートシンク２３、制御基板９ａ、操作基板カバー７（操作基板７ａ）側に対応させて設置されている。
【００３８】
このような構成によると、上記電装品等冷却用ファン２２の羽根車からの風が、上記炊飯器本体の前部側では、操作基板７ａや制御基板９ａ、ＩＧＢＴ等発熱部品冷却用ヒートシンク２３、後述するノイズ対策部品１０等の冷却に有効に使用される一方、上記発熱部材である第１，第２のワークコイルＣ1，Ｃ2側を囲む通風路の通風空間内にも有効に導入され、同第１，第２のワークコイルＣ1，Ｃ2を効果的に冷却する。
【００３９】
（ノイズ対策部品の設置構造）
一方、上記外ケース１ａ内の上記操作基板カバー７の下端側下部には、図示のようにノイズ対策部品設置部８が設けられており、該ノイズ対策部品設置部８に対して、例えば断面鉤形のノイズ対策部品カバー１６が左右両端側の取付縁部１６ａ，１６ｂを介して取り付けられるようになっており、同ノイズ対策部品カバー１６のコーナー部内側部分に雑音防止用コンデンサ等のノイズ対策部品１０を載せて（背面側から嵌合して）、当該ノイズ対策部品設置部８の左右両端側のネジ溝を有する取付台８ａ，８ｂ部分に図示ネジ穴を有する左右両端側取付縁部１６ａ，１６ｂを重合し、図示しないビスネジで締結固定することにより、例えば図３の電気回路図に示すように、雑音防止用のコンデンサＣｏ等所要のノイズ対策部品１０が第１，第２のワークコイルＣ1，Ｃ2から十分に離して、かつ制御基板９ａを介して設置され、制御基板９ａ側の制御回路とは第１，第２の電気配線１１，１１を介して接続される。
【００４０】
なお、図１中の符号１２は、制御基板９ａと操作基板７ａ側の各回路を結ぶフラットケーブルである。
【００４１】
また上記ノイズ対策部品設置部８は、例えば図１および図２に示すような位置関係で、上記電装品等冷却用ファン２２の羽根車（空気吹出口）に対応しており、上述のように電装品等冷却用ファン２２が駆動された時には、上記ヒートシンク２３および操作基板７ａ方向に吹き上げられる空気流によって効率良く冷却されるようになっている。
【００４２】
このような構成によると、ノイズ対策部品１０が、強い高周波ノイズを発生させる上記第１，第２のワークコイルＣ1，Ｃ2から炊飯器本体１の前方側に最も遠く離して設置されることになるとともに、同第１，第２のワークコイルＣ1，Ｃ2との間に略全面に銅箔等のプリントパターンが設けられた電磁波に対してシールド機能の高い制御基板９ａおよび合成樹脂製の制御基板カバー９が介在されることになり、上下左右方向共にノイズ電波の伝播空間が遮断されることになる。
【００４３】
その結果、可及的にノイズ対策部品１０側へのワークコイルノイズの影響が回避され、ノイズ対策回路のノイズ低減効果が向上する。
【００４４】
また、上記操作基板カバー７下部のノイズ対策部品設置部８部分には、上述のように電装品等冷却用ファン２２からの冷却風が効率良く供給されるようになっているので、ノイズ対策部品１０自体の冷却効果も高くなる。
【００４５】
したがって、その点でも一層有効にノイズ低減効果を向上させることができる。
【００４６】
（制御回路部分の構成）
次に図３は、上述のように構成された操作基板７ａ、制御基板９ａよりなる炊飯器本体側の炊飯および保温制御、その他の制御を行う制御回路部分の構成を示す。
【００４７】
先ず操作基板７ａ側には、マイコン制御ユニット４０を中心として、液晶表示部２１、炊飯又は保温、タイマー予約、予約時刻設定、白米又は玄米、早炊、おかゆ、すしめし、炊き込み等の炊き分け、通常モード又は省エネモードその他の各種の炊飯又は保温機能の選択設定を行う入力スイッチ２２ａ〜２２ｈ、炊飯、予約、保温等の表示用ＬＥＤ２３ａ〜２３ｃが設けられている。
【００４８】
また制御基板９ａ側には、その電源回路部に整流平滑回路３５ａ，３５ｂ、温度ヒューズ３４を介した２０Ｖ電源３６、定電圧安定化電源回路４１、電源同期回路４３、ワークコイルＣ1，Ｃ2の駆動回路部にＩＧＢＴ３７、共振コンデンサ３８、異常電圧検知回路３９、ＩＧＢＴドライブ回路４２、ヒータＨ1，Ｈ2の駆動回路部に保温ヒータ駆動回路３３、肩ヒータ駆動回路３４、冷却ファン２２のファンモータ２２ａの駆動回路部にＤＣファン駆動回路１６がそれぞれ設けられており、上記電源同期回路４３、ＩＧＢＴドライブ回路４２、定電圧安定化電源回路４１、ファンモータ駆動回路１６、保温ヒータ駆動回路３３、肩ヒータ駆動回路３４等は、それぞれ必要な電源配線および信号線を一体化した上述のフラットケーブル１２（図１参照）を介して操作基板７ａ側のマイコン制御ユニット４０と図示のように接続されている。
【００４９】
また、上記制御基板９ａの電源回路部分には、電源ノイズをカットするノイズフィルタ回路３２を備えた電源基板３１を介してＡＣ電源３０が入力されるようになっている。
【００５０】
そして、同電源回路の電源ライン１３，１３間には、上述のノイズ対策部品１０としての雑音防止用コンデンサＣｏが介設されており、該コンデンサＣｏは、上述のように十分な長さの電気配線１１，１１を介して上記操作基板７ａ側の操作基板７の下端部に設けられているノイズ対策部品設置部８のノイズ対策部品カバー１６内に収納して設けられている。
【００５１】
以上のように、この発明では、電磁誘導加熱が可能な内鍋と、この内鍋を取り出し可能に収容する内ケースと、この内ケースを収容固定する外ケースと、上記内ケースの底部に設けられ、上記内鍋を電磁誘導加熱する電磁誘導加熱手段と、上記外ケースと内ケースとの間にあって上下方向に延びて設けられた制御基板と、該制御基板上の制御回路に関連して設けられるノイズ対策部品とを備えてなる電気炊飯器において、上記ノイズ対策部品を、上記のように制御基板を介して上記電磁誘導加熱手段としてのワークコイルとは反対側のワークコイルから可及的に遠くなる位置に設けている。
【００５２】
このような構成によると、雑音防止コンデンサ等のノイズ対策部品が電磁誘導加熱手段としてのワークコイルから可及的に遠く離間されるとともに、電磁誘導加熱手段としてのワークコイルからノイズ対策部品までの電磁ノイズの伝播空間が銅箔等全体にプリントパターンを有する電磁シールド機能の高い制御基板によって確実に遮断され、電磁的にシールドされるので、効果的にノイズ対策部品に対する電磁ノイズの影響を避けることができる。
【００５３】
また、そのような構成の場合、同ノイズ対策部品が制御基板上の発熱性電子部品、誘導性電子部品等から隔離され、それらの熱や誘導作用、浮遊電荷の影響を受けなくなる。
【００５４】
そのため、コンデンサ等のノイズ対策部品は有効にノイズ吸収作用を発揮することができる。
【００５５】
また、この発明では、その場合において、上記外ケースの内側には操作パネルに対応した操作基板を保持する操作基板カバーを備え、該操作基板カバーの下端側に設けたノイズ対策部品設置部を利用してノイズ対策部品を設置するようにしている。
【００５６】
どのような電気炊飯器であっても、一般に操作基板の下部には比較的広いデッドスペースがある。そして、同デッドスペースは、放熱空間としても有効である。
【００５７】
したがって、同放熱効果の高い空間部分を利用し、しかも操作基板を保持している操作基板カバーを利用してノイズ対策部品の設置部を設けて、上述のようにノイズ対策部品を設置するようにすると、炊飯器本体内スペースファクターの有効活用と設置作業の容易さ（操作基板カバーに操作基板を取り付ける時に同時に設置できる）、性能の信頼性（基板上にある場合と違って周辺電子部品の浮遊電荷や電磁波の影響を回避することができる）、放熱作用の両立が図られる。
【００５８】
さらに、この発明では、上記外ケースの内側には電装品を冷却する冷却ファンが設けられており、上記ノイズ対策部品は、該冷却ファンからの冷却風によって冷却される位置に設けられている。
【００５９】
したがって、上記デッドスペースを利用した放熱作用に加えて、ノイズ対策部品が、冷却ファンからの冷却風によって効率良く冷却されることになり、コンデンサ等ノイズ対策部品の温度上昇を回避し、より適正なノイズ吸収作用を確保することができる。
【００６０】
これらの結果、この発明によれば、コンデンサ等ノイズ対策部品へのワークコイル等電磁誘導加熱手段からの電磁ノイズの影響を回避し、より確実なノイズ対策機能を発揮させることができる。したがって、マイコン等電気炊飯器の制御機能の信頼性を確保することができ、適正な炊飯性能を維持させることができる。もちろん、国際規格への対応も十分に可能となる。
【００６１】
（実施の形態２）
次に図４は、本願発明の実施の形態２に係る電気炊飯器の構成を示している。
【００６２】
以上の実施の形態１の構成では、操作基板カバー７側のノイズ対策部品設置部８の下面に対して、ノイズ対策部品１０を載せた、断面鉤形のノイズ対策部品カバー１６をネジで締結固定すして取り付けるようにしている。
【００６３】
しかし、これは例えば図４に示すように、上記操作基板カバー７の下端部に、前面側が開口した断面コの字形のノイズ対策部品収納ケース１８を一体成型することにより、操作基板カバー７とノイズ対策部品カバーとが一体のものとし、その前面側開口部１８ａからノイズ対策部品１０を容易に収納できるような構成にしてもよい。
【００６４】
このような構成にすると、一段とノイズ対策部品１０の設置作業が容易になる。
【符号の説明】
【００６５】
Ｃ1，Ｃ2は第１，第２のワークコイル、Ｈ1は保温ヒータ、Ｈ2は肩ヒータ、１はは外ケース、１ａは側壁部、１ｂは底壁部、２は蓋ユニット、３は内鍋、７は操作基板カバー、７ａは操作基板、８はノイズ対策部品設置部、８ａ，８ｂは取付部、９は操作基板カバー、９ａは制御基板、１１，１１は電気配線、２０は操作パネル、２１は液晶表示部、２２は冷却ファン、３７はＩＧＢＴ、４０はマイコン制御ユニット、４２はＩＧＢＴ駆動回路である。
【図１】
2010207371.tif 000003
【図２】
2010207371.tif 000004
【図３】
2010207371.tif 000005
【図４】
2010207371.tif 000006